(57)【要約】【課題】  モバイル通信装置に状況に適した方式で情報を提示するための改良された方法およびシステムを提供すること。【解決手段】  モバイル通信装置は、ユーザのプレゼンス、ステータス、および識別情報に基づいて、状況に適した情報を表示する。レンズテンプレートは、情報をどのように表示するかを制御し、特定の使用法プロフィール向けにカスタマイズおよび設計を行うことができる。使用されるレンズは、ユーザのプレゼンスに適合するように、いつでも更新することができる。レンズの詳しさおよび対応情報も、様々なニーズおよび好みに適合するように変更することができる。レンズは、様々なイベントまたは行為発生現場向けに特殊化することができる。【選択図】  図１
2005006309.tif 000002
【特許請求の範囲】
【請求項１】
モバイルユーザに送り届ける情報を選択する方法であって、
モバイルユーザがオンライン状態にあることを確認するステップと、
前記モバイルユーザの物理的所在地を識別する情報を受信するステップと、
時刻インジケータを取り出すステップと、
集約ユーザ嗜好データを取り出すステップと、
前記ユーザの前記物理的所在地、前記時刻、および集約ユーザ嗜好データに基づいて、前記ユーザに伝送する情報を選択するステップと
を含むことを特徴とする方法。
【請求項２】
前記モバイルユーザに提供される前記情報を表現するステップと、前記表現された情報を前記モバイルユーザに関連づけられたモバイル通信装置のモバイルブラウザに送信するステップと
をさらに含むことを特徴とする請求項１に記載の方法。
【請求項３】
前記モバイルユーザに関連づけられたモバイル通信装置に提供される前記情報をモバイル通信事業者に送信するステップをさらに含むことを特徴とする請求項１に記載の方法。
【請求項４】
前記情報を表現するステップは、少なくとも部分的に前記モバイル通信装置の識別情報に基づくことを特徴とする請求項２に記載の方法。
【請求項５】
前記モバイルユーザに関連付けられたユーザプロフィールを取り出すステップをさらに含み、
前記ユーザに伝送される情報を選択するステップは、前記ユーザプロフィールにさらに基づくことを特徴とする請求項１に記載の方法。
【請求項６】
モバイルユーザへのデータ提示を管理する方法であって、
複数のビューを定義するステップであって、各ビューは、ユーザ所在地、ユーザの関心、ユーザ定義の情報カテゴリのうちの１つに対応するステップと、
１つまたは複数の前記ビューに情報を表示するステップであって、１つのビューに表示される前記情報は、第２のビューに表示される情報と区別されることを特徴とする方法。
【請求項７】
異なるビューに表示される情報は、異なる視覚的提示に関連付けられることを特徴とする請求項６に記載の方法。
【請求項８】
前記異なる視覚的提示は、異なる色、パターン、画像、テクスチャのうちの少なくとも１つを含むことを特徴とする請求項７に記載の方法。
【請求項９】
前記複数のビューは、ホームビューとトラベルビューとを含むことを特徴とする請求項６に記載の方法。
【請求項１０】
前記複数のビューは、スポーツビューを含むことを特徴とする請求項６に記載の方法。
【請求項１１】
２つ以上のビューからの情報の混合を表示するステップをさらに含むことを特徴とする請求項６に記載の方法。
【請求項１２】
前記複数のビューは、複数のレンズを含むことを特徴とする請求項６に記載の方法。
【請求項１３】
情報を受信するステップと、
前記情報を１つまたは複数の前記ビューに割り当てるステップと
をさらに含むことを特徴とする請求項６に記載の方法。
【請求項１４】
情報項目を受信するステップと、
前記情報項目に関連付けられたビュー識別子を受信するステップと
をさらに含むことを特徴とする請求項６に記載の方法。
【請求項１５】
前記情報項目に関連付けられた表示優先順を受信するステップをさらに含むことを特徴とする請求項１４に記載の方法。
【請求項１６】
前記表示優先順は、集約ユーザ嗜好データに基づくことを特徴とする請求項１４に記載の方法。
【請求項１７】
１つまたは複数のビュー、表示優先順、および装置能力識別情報に基づいて情報項目を表示するステップをさらに含むことを特徴とする請求項１４に記載の方法。
【請求項１８】
モバイル通信装置に送り届けられる情報を選択する方法であって、
追跡されたコンピュータ使用法と追跡された電話使用法から得たユーザ嗜好データを１つまたは複数の集約使用法プロフィールに集約するステップと、
１つまたは複数のモバイル通信装置に情報を提示するのに使用でき、前記１つまたは複数の使用法プロフィールに基づく、１つまたは複数のレンズを作成するステップと
を含むことを特徴とする方法。
【請求項１９】
前記モバイル通信装置に関連づけられたユーザ指定と前記モバイル通信装置のプレゼンスのうちの少なくとも１つに基づいて、ある特定のモバイル通信装置に情報を提示するのに使用する、適切な１つまたは複数の前記レンズを選択するステップをさらに含むことを特徴とする請求項１８に記載の方法。
【請求項２０】
前記追跡されたコンピュータ使用法は、複数のユーザによって各自のコンピュータを用いてアクセスされる前記情報に対応するデータを含むことを特徴とする請求項１８に記載の方法。
【請求項２１】
前記追跡された電話使用法は、複数のユーザによって各自のコンピュータを用いてアクセスされる前記情報に対応するデータを含むことを特徴とする請求項１８に記載の方法。
【請求項２２】
モバイル通信装置に送り届けられる情報を選択する方法を実施するためのコンピュータ実行可能命令を有する１つまたは複数のコンピュータ可読媒体を含むコンピュータプログラム製品であって、前記方法は、
追跡されたコンピュータ使用法と追跡された電話使用法から得たユーザ嗜好データを１つまたは複数の集約使用法プロフィールに集約するステップと、
１つまたは複数のモバイル通信装置に情報を提示するのに使用でき、前記１つまたは複数の使用法プロフィールに基づく、１つまたは複数のレンズを作成するステップと
を含むことを特徴とするコンピュータプログラム製品。
【請求項２３】
前記方法は、
前記モバイル通信装置に関連づけられたユーザ指定と前記モバイル通信装置のプレゼンスのうちの少なくとも１つに基づいて、ある特定のモバイル通信装置に情報を提示するのに使用する、適切な１つまたは複数の前記レンズを選択するステップをさらに含むことを特徴とする請求項２２に記載のコンピュータプログラム製品。
【請求項２４】
モバイル通信装置に情報を表示するための方法であって、
モバイル通信装置のステータスデータをリモート情報発信元に反映させるステップであって、前記ステータスデータは、前記モバイル通信装置に関連づけられたユーザ指定と前記モバイル通信装置のプレゼンスのうちの少なくとも１つを含むステップと、
前記モバイル通信装置で、受信された情報の表示を制御する、１つまたは複数のレンズを受信するステップと、
前記モバイル通信装置で、前記受信された情報を受信し、前記１つまたは複数のレンズによって指定されたように、また前記ステータスデータに対応するように、表示するステップと
を含むことを特徴とする方法。
【請求項２５】
前記ステータスデータは、ユーザのプレゼンスとユーザ指定を共に含むことを特徴とする請求項２４に記載の方法。
【請求項２６】
前記ユーザ指定は、ユーザの身分証明と匿名指定のうちの１つを含むことを特徴とする請求項２５に記載の方法。
【請求項２７】
前記ステータスデータの変更を前記リモート情報発信元に自動的に反映させるステップをさらに含むことを特徴とする請求項２４に記載の方法。
【請求項２８】
前記ステータスデータの前記変更に対応する新しい適切なレンズを自動的に受信するステップをさらに含み、前記ユーザは前記新しい適切なレンズを要求しなければならないことを特徴とする請求項２７に記載の方法。
【請求項２９】
情報の表示を制御する複数のレンズは、前記モバイル通信装置で受信され、前記複数のレンズは、前記受信情報を混合して単一の混合レンズ表示にするために使用されることを特徴とする請求項２４に記載の方法。
【請求項３０】
モバイル通信装置に送り届けられる情報を選択する方法を実施するためのコンピュータ実行可能命令を有する１つまたは複数のコンピュータ可読媒体を含むコンピュータプログラム製品であって、前記方法は、
モバイル通信装置のステータスデータをリモート情報発信元に反映させるステップであって、前記ステータスデータは、前記モバイル通信装置に関連づけられたユーザ指定と前記モバイル通信装置のプレゼンスのうちの少なくとも１つを含むステップと、
前記モバイル通信装置で、受信された情報の表示を制御する、１つまたは複数のレンズを受信するステップと、
前記モバイル通信装置で、前記受信された情報を受信し、前記１つまたは複数のレンズによって指定されたように、また前記ステータスデータに対応するように、表示するステップと
を含むことを特徴とするコンピュータプログラム製品。
【請求項３１】
前記ステータスデータは、ユーザのプレゼンスとユーザ指定を共に含むことを特徴とする請求項３０に記載のコンピュータプログラム製品。
【請求項３２】
前記方法は、前記ステータスデータの変更を前記リモート情報発信元に自動的に反映させるステップをさらに含むことを特徴とする請求項３０に記載のコンピュータプログラム製品。
【請求項３３】
前記方法は、前記ステータスデータの前記変更に対応する新しい適切なレンズを自動的に受信するステップをさらに含み、前記ユーザは前記新しい適切なレンズを要求しなければならないことを特徴とする請求項３２に記載のコンピュータプログラム製品。
【請求項３４】
情報の表示を制御する複数のレンズは、前記モバイル通信装置で受信され、前記複数のレンズは、前記受信情報を混合して単一の混合レンズ表示にするために使用されることを特徴とする請求項３０に記載のコンピュータプログラム製品。
【請求項３５】
モバイル通信装置で情報を表示するための方法であって、
モバイル通信装置のステータスデータをリモート情報発信元に反映させるステップであって、前記ステータスデータは、前記モバイル通信装置に関連づけられたユーザ指定と前記モバイル通信装置のプレゼンスのうちの少なくとも１つを含むステップと、
前記モバイル通信装置で、受信された情報の表示を制御する、１つまたは複数のレンズを受信するステップと、
前記情報を表示する際に、使用する２以上の前記複数のレンズを識別するステップと、
前記モバイル通信装置で、前記情報を受信し、前記２以上のレンズによって指定されたように、単一の表示に混合するステップであって、前記単一の表示は、少なくとも部分的に前記ステータスデータに対応するステップと
を含むことを特徴とする方法。
【発明の詳細な説明】
【技術分野】
【０００１】
本発明は、モバイル通信リンクを介して利用可能な情報サービスの分野に関し、より詳細には、モバイル通信端末への情報送達および提示の改良に関する。
【背景技術】
【０００２】
遠隔通信業界では、コンピューティング機能と電話機能の統合を容易にするいくつかの進歩があった。例えば、インターネットおよび他のネットワークリポジトリにアクセスできるように、モバイル電話および他のモバイル通信装置にディスプレイおよびブラウザが装備されるのは、今では当たりまえになっている。
【０００３】
そのような通信装置は、その利便性が高く評価されている。例えば、ユーザは、旅先にいても、そのような装置を使用して、自分宛ての電子メールまたは他のメッセージにアクセスすることができる。旅先で、例えば、モバイル通信装置を使用して、インターネットまたは他の利用可能なネットワークに接続することによって、財務報告、天気、スポーツ記事、ニュースを始めとする（ただし、これらに限定されない）、その他の情報にも、モバイル通信装置からアクセスすることができる。
【０００４】
遠隔地から、また移動中に、情報にアクセスできることは、少なくとも上述の理由から、有利ではあるが、一部のモバイル通信装置の可搬性は本質的に、取得した情報を提示するための表示および操作能力を制限する。具体的には、一部のモバイル電話およびＰＤＡではサイズ上の制約のため、どんな時にも適切に表示できる情報量が制限されることがある。例えば、既存のモバイル通信装置は一般に、例えば、デスクトップコンピュータのモニタに比べて、比較的限られた量の情報を表示することができるに過ぎない。したがって、モバイル通信装置に表示される情報量および情報の種類は、ユーザの好みまたは任意の特定の時に表示される情報の適切さにではなく、モバイル通信装置のブラウザおよびディスプレイの能力に制約される。
【０００５】
これらの制限のいくつかを克服するのを助けるために、モバイルウェブページがアクセスされた際にモバイル通信装置によってアクセスされ、表示される情報の提示をフォーカスおよび制御するのに役立つように、ユーザは、マイクロソフトのＭＳＮモバイルなどインターネットサービスを利用し、ＰＣベースのウェブページをカスタマイズすることができる。例えば、ユーザは、個人用モバイルウェブページにアクセスした際に提示してもらいたい、様々な種類のニュース記事、財務報告、スポーツ記事、天気予報、および他の情報を、ＰＣベースの個人用ウェブページを用いて選択することができる。しかし、上述したようなモバイル通信装置のディスプレイおよびブラウザ能力の制約のため、所望の情報の提示が、依然としてどこか不満足なまたは望ましくない方法で行われる場合が少なくない。
【０００６】
さらに、人々はこれまで、コンピュータを使用するのとは異なる仕方で電話を使用しており、ユーザは、コンピュータでアクセスするのと同じ情報に、電話でアクセスしたいと思わないかもしれない。したがって、コンピュータでのウェブアクセス用にカスタマイズされたウェブページには、ユーザが電話からアクセスまたは操作したい情報よりも多くの情報が含まれる場合がある。ユーザの通話プランによっては、電話でのインターネット情報へのアクセスが時として、コンピュータで同じアクセスを行った場合より割高になることを考えた場合、情報過剰の感は特に強くなる。
【０００７】
コンピュータからアクセスするのとは違った情報に電話を用いてアクセスしたいと、ユーザが思うまた別の理由は、ほとんどのコンピュータが提供するような、例えば、フルサイズキーボードなどの、高度なナビゲーションアフォーダンス（ｎａｖｉｇａｔｉｏｎ  ａｆｆｏｒｄａｎｃｅ）を、ほとんどの電話装置が持たないためである。
【０００８】
したがって、モバイル通信装置を使って情報にアクセスできることは便利には違いないが、従来のコンピュータによるのと同じ方法でモバイル通信装置から情報にアクセスすることが、いつも実際的または望ましいわけではない。代わりに、所望の情報を見つけようとして、ユーザが貴重な時間と資源（例えば、電力資源）を浪費しないですむように、よりフォーカスされた適切な情報にアクセスできた方が、一般にはより望ましい。ユーザが求める情報は、ユーザがその情報を求める場所または時間でだけ状況的に適切なことがあるので、ユーザが様々な市、州、または国を旅行して回っている場合には、今述べたことはより妥当する。
【発明の開示】
【発明が解決しようとする課題】
【０００９】
したがって、状況に適した望ましい方法でモバイル通信装置向けに情報を提示するための改良された方法およびシステムが、当業界において必要とされている。
【課題を解決するための手段】
【００１０】
本発明は、所望の方法でモバイル通信装置に情報を提示するための方法、システム、およびコンピュータプログラム製品に関する。
【００１１】
本発明の一実施形態によれば、ユーザのモバイル通信装置に提示される情報は、モバイル通信装置の所在地、ユーザの身元、情報がアクセスされる時間帯、集約情報ベースのウェブポータル使用統計に基づく示唆、個人およびその他に関連するステータスおよびプレゼンス情報に状況的に基づく。
【００１２】
情報を提示する方式をよりよいものにするため、モバイル通信装置に表示される情報の提示を制御する、テンプレートに類似した様々な異なるレンズを使用する。例えば、ユーザのステータス、プレゼンス、および好みに基づいて状況に適した情報を提示する、様々な地理別および人口統計別用途向けの様々なレンズを提供することができる。ユーザは、自分独自のニーズおよび要望に適合するようにカスタマイズされた異なるレンズを作成し、利用することができる。
【００１３】
レンズの細かさは、様々なニーズおよび好みに適合するように変えることができる。例えば、地理的レンズは、自治体、市、州、国、および他の識別可能な地勢に基づくことができる。レンズはまた、スポーツ会場、娯楽施設、教育現場、仕事現場、国立公園、遊園地など、異なる行為の現場向けに特殊化することもできる。モバイル通信サービスは、状況的なステータスおよびプレゼンス情報に基づいて、レンズを自動的に更新することができるが、本明細書に説明するように、ユーザも特定の好みを指定することができ、またはカスタマイズ可能なレンズに表示する特定の情報を求める特別の要求を出すことができることも理解されよう。
【００１４】
本発明の一実施形態では、レンズは、集約されたコンピュータおよび電話の使用データから作成される、様々なプロフィールに適合するように設計される。具体的には、使用プロフィールを作成することで、あるユーザがどの種類のデータに好んでアクセスするかを、そのユーザが分類されたプロフィールに基づいて識別することができる。プロフィールは、ユーザが自分のコンピュータをどのように利用するか、ユーザが自分の電話をどのように利用するかに基づくことができる。その後、プロフィールを用いて、ユーザが所望する情報を所望の方式でモバイル通信装置に提供するレンズの作成またはカスタマイズを行うことができる。
【００１５】
上記の方式では、情報が時間依存になり、またユーザの特定された好み、所在地、および活動に適したものになるように、所望の更新された情報を状況に適した方式でモバイル通信装置からユーザに動的に提供することが可能であることは理解されよう。情報をモバイル通信装置にこのような方式で提供することによって、ユーザが要求を出してから情報を獲得できるまでのスピードが改善される。具体的には、ユーザのプレゼンスおよびステータスデータに基づいて、情報をユーザのモバイル通信装置に自動的に提供することができ、その後、ユーザが実際にその情報を要求するまで、その情報をモバイル通信装置上にキャッシュしておき、それによって、モバイル情報サービスの有用性およびユーザの使い勝手を大幅に改善することができる。
【００１６】
代替的に、状況に適した設定またはデフォルトの設定に基づいて、情報を提示するのに使用する適切なレンズが決定された時に、情報を自動的に提示することができる。
【００１７】
本発明の追加の特徴および利点を以下の説明に記載する。それらは部分的には説明から明らかであり、または本発明を実施することによって理解することができるであろう。本発明の特徴および利点は、添付の特許請求の範囲に具体的に示される機器およびその組合せによって、実現および獲得することができる。本発明の上記およびその他の特徴は、以下の説明および添付の特許請求の範囲からより十全に明らかとなり、以下本明細書に記載するように本発明を実施することによって理解することができるであろう。
【００１８】
本発明の上記およびその他の利点および特徴を得ることができる方式を説明するため、上で簡略に説明した本発明についてのより詳細な説明を、添付の図面に示された本発明の具体的な実施形態を参照しながら行う。これらの図面は本発明の典型的な実施形態を示したものに過ぎず、したがって、本発明の範囲を限定するものと考えるべきではないという理解の下で、本発明を、添付の図面を使用しながら、より具体的かつ詳細に記述し説明する。
【発明を実施するための最良の形態】
【００１９】
本発明は、状況に適した方式でモバイル通信装置に情報を提示するための方法、システム、およびコンピュータプログラム製品に関する。
【００２０】
モバイル通信装置への情報の提示の仕方を制御するのに使用される状況依存の情報を、本明細書では、「ステータスデータ」と呼ぶことがある。この点で、「ステータスデータ」は、モバイル通信装置のプレゼンス（ｐｒｅｓｅｎｃｅ）、およびそのモバイル通信装置に関連付けられたユーザの指定（例えば、識別されたユーザか、匿名ユーザか）を示すことができる。
【００２１】
「プレゼンス」という語によって、物理的所在地および時間的状態（例えば、使用時間）を示すことができることは理解されよう。ユーザのプレゼンスについての言及は一般に、モバイル通信装置のプレゼンスについての言及でもあると解釈されるべきであることも理解されよう。
【００２２】
「モバイル通信装置」という語は、本明細書の定義では一般に、モバイル電話装置、ＰＤＡ、および他のポータブルコンピューティング装置を指す。本発明の一実施形態では、モバイル通信装置には、ＩＥＥＥ８０２．１１のトランシーバ（すなわち、ＷｉＦｉトランシーバ）およびモバイルデータセンタまたは情報発信元に自身を識別させることができる多機能クライアントアプリケーションが含まれる。別の実施形態では、モバイル通信装置を、電話番号またはＭＳＩＳＤＮによって識別可能なセルラ電話装置とする。
【００２３】
本明細書で説明する様々な実施形態では、レンズ（ビュー）またはテンプレートを使用して、どの情報を提示し、どのようにそれを提示するかを制御する。これらのレンズは通常、本明細書でコンピュータ実行可能命令およびコンピューティングモジュールと呼ぶことがあるコンピュータソフトウェアコンポーネントによって作成し、変更し、使用することができるユーザインターフェースを含む。
【００２４】
したがって、本発明の実施形態は、様々なコンピュータソフトウェアおよびハードウェアを備えた、専用および汎用コンピューティング装置を含むことができる。本発明の範囲内の実施形態は、そこに格納されたコンピュータ実行可能命令またはデータ構造を搬送あるいは保持するための、コンピュータ可読媒体を含むこともできる。
【００２５】
コンピュータ可読媒体を、モバイル通信装置を含む（ただし、それに限定されない）汎用または専用コンピュータによってアクセスできる、任意の利用可能な媒体とすることができることは理解されよう。例えば、そのようなコンピュータ可読媒体は、ＲＡＭ、ＲＯＭ、ＥＥＰＲＯＭ、ＣＤ−ＲＯＭまたは他の光ディスク記憶媒体、磁気ディスク記憶媒体または他の磁気記憶装置、またはコンピュータ実行可能命令またはデータ構造の形式をした所望のプログラムコード手段を搬送または保存するのに使用することができ、汎用または専用コンピュータによってアクセスすることができる他の任意の媒体を含むことができるが、これらに限定されるものではない。コンピュータ実行可能命令は、例えば、汎用コンピュータ、専用コンピュータ、または専用プロセッシング装置に、以下で説明する動作およびステップなどの何らかの機能または機能グループを実行させる、命令およびデータを含む。
【００２６】
情報を、ネットワークまたは別の通信コネクション（有線、無線、または有線と無線の組合せ）を介して、コンピュータまたはモバイル通信装置に伝送または提供する場合、コンピュータ／装置は、そのコネクションをコンピュータ可読媒体として適切に認識する。したがって、任意のそのようなコネクションも、コンピュータ可読媒体と呼んで差し支えない。上記のものの組合せも、コンピュータ可読媒体の範囲内に当然含まれる。
【００２７】
図１には、本発明の実施形態を実施することができる、ネットワーク１００の一例が示されている。図示するように、ネットワーク１００は、モバイル通信装置１１０、複数の通信ノード１２０、１２２、１２４、および情報発信元１３０を含む。
【００２８】
モバイル通信装置は、この図では、無線電話のフォームファクタを有するものとして示されている。しかし、本発明が必ずしも、モバイル通信装置が無線電話装置を含む実施形態にのみ限定されるものではないことは理解されよう。例えば、他の実施形態では、モバイル通信装置は、ＰＤＡまたはポータブルコンピュータを含むことができる。
【００２９】
本明細書で説明するように、モバイル通信装置は、所在地、ユーザ指定、および時刻といった事柄に基づいて、状況に適した情報を受信し、表示する。所在地は、例えば、Ａｓｓｉｓｔｅｄ  ＧＰＳシステム、Ｅ９１１システム、または他の位置決定システムによって決定することができる。モバイル通信装置の所在地は、モバイル通信装置に情報を提供する情報発信元１３０が決定することができ、情報発信元に公表されることもある。
【００３０】
サーバ１３０は、ノード１２０、１２２、１２４などの１つまたは複数のネットワーク通信ノードを介して、所望のデータをモバイル通信装置に提供することができる。ノード１２０、１２２、１２４は、この図では、電話塔として示されているが、無線リンク、有線リンク、分散ネットワーク、中継装置の任意の組合せによって、モバイル通信装置を情報発信元１３０と通信可能に接続できることは理解されよう。
【００３１】
本発明の好ましい一実施形態によれば、ネットワーク１００は、モバイル通信装置１１０が所在地Ａ、Ｂ、Ｃなどの間を一所在地から別の所在地に移動したとしても、モバイル通信装置１１０と情報発信元１３０の間の通信を可能とするのに少なくとも十分な通信ノードを含む。
【００３２】
情報発信元１３０は、この図では、単一のローカルリポジトリ１４０を有する単一の客体として示されている。しかし、情報発信元１３０が実際には、複数のローカルおよびリモートリポジトリを有する分散ネットワークを含むことができることは理解されよう。したがって、リポジトリ１４０内に配置されたように示されている、図示の集約データ１４２およびレンズリポジトリ（ｌｅｎｓ  ｒｅｐｏｓｉｔｏｒｙ）１４４は、実際にはローカルおよびリモート記憶位置の組合せに分散して配置することができる。
【００３３】
情報発信元１３０が、モバイル通信装置１１０と通信を行う際、モバイル通信装置でユーザに情報を提示するのに用いられる適切なレンズを決定するのに使用される状況関連情報を識別できるようにするための様々なモジュール（図示せず）を含むことも理解されよう。
【００３４】
具体的には、本明細書で説明するように、モバイル通信装置１１０は、モバイル通信装置１１０で情報を表示するために特別に設計された１つまたは複数のレンズによって指示されるように、情報発信元から状況に適した情報を受信し、その情報を表示する。モバイル通信装置で表示される情報は、ディスプレイスクリーン１５０に表示できるような、視覚的なものにできるが、情報は聴覚的なものにもでき、その場合、適切なスピーカによって提示できることは理解されよう。同様に、点字リーダは、タッチセンシティブリーダ（ｔｏｕｃｈ  ｓｅｎｓｉｔｉｖｅ  ｒｅａｄｅｒ）の表面微細凹凸を変化させることによって情報を表示することができる。したがって、本明細書で情報表示に関して言及がなされる場合には、適切な提示装置による情報提示を含むと広義に解釈されるべきである。
【００３５】
次に図２を参照すると、情報をモバイル通信装置に提示するための方法の一実施形態に関するフローチャート２００が示されている。図示のように、この方法は、本発明の実行中に実施することができる、様々なステップおよび対応する動作を含む。
【００３６】
図示の第１のステップは、集約ユーザ嗜好データの作成であり（ステップ２１０）、集約ユーザ嗜好データは、プロフィールを作成するのに使用することができ、プロフィールは、モバイル通信装置上でユーザに関連および所望の情報を提供する際に役立てることができる。電話または他のモバイル通信装置は一般に、従来のコンピュータとは少し異なる使い方がされるので、必ずしも必要ではないものの、標準的なコンピュータの使用法（動作２１２）と電話の使用法（動作２１４）を共に追跡することは有益なことがある。
【００３７】
追跡されたコンピュータの使用法は、ユーザがアクセスしてウェブサイトとサーバの組合せから得た情報の種類、個人用ウェブサイトをカスタマイズした仕方、アクセス時間帯別および人口統計グループ別の情報のパターンおよび種類を始めとする、任意の種類のコンピュータ使用法を含む。
【００３８】
追跡された電話の使用法も、任意の人口統計グループによってモバイル通信装置の任意の組合せを用いてアクセスされた任意の種類の情報に適用することができる。追跡できる様々な種類の電話使用法が存在するが、通話履歴などの通常の電話機能を追跡する必要はない。むしろ、追跡される電話使用法は主として、アクセスされた情報の種類、情報がアクセスされた時刻、情報にアクセスするための使用パターンを始めとする（ただし、それらに限定されない）、電話によって利用されたモバイル情報サービスにフォーカスされる。
【００３９】
一例では、嗜好エンジン（ｐｒｅｆｅｒｅｎｃｅ  ｅｎｇｉｎｅ）を使用して、ユーザが従来のコンピュータを用いて好んでアクセスする情報の種類、および同じグループまたは個人が電話または他のモバイル通信装置を用いて好んでアクセスする情報の種類がモニタされる。
【００４０】
使用法データを１つまたは複数の使用プロフィール（ｕｓａｇｅ  ｐｒｏｆｉｌｅ）に集約することによって（動作２１６）、追跡されたコンピュータの使用法と電話の使用法との間の相関関係が引き出される。使用プロフィールは、任意の種類のグループまたは個人に基づくことができ、任意の関連する人口統計情報を考慮することも、無視することもできる。使用プロフィールは次に、個人ユーザのプライバシを望まれるレベルで維持および保護できるような方法で、ユーザの使用プロフィールに基づいて、自動的にまたは要求されて、特定のユーザに関連づけることができる。
【００４１】
本発明の一実施形態によれば、使用プロフィールを具体的に使用して、識別された使用プロフィールに適合した所望の形式でユーザに情報を提示するための、１つまたは複数の対応するレンズを作成する（動作２２０）。例えば、ある特定のグループは、モバイル通信装置を使用して、インターネットから得られるバスケットボールの得点、電子メール、天気予報だけにアクセスすると決定した場合、グループのメンバが自分でそれらの情報を複数のロケーションから探し出す必要がなく、そのため、他の方法では、モバイル通信装置を用いて情報にアクセスし、体裁を整えるのに必要となる資源を浪費しないような方法で、そのレンズに対応する適切な所望の情報、すなわち、バスケットボールの得点、電子メール、天気予報を提示するためだけにカスタマイズされたレンズを作成することができる。
【００４２】
レンズを構築する動作（動作２２０）は、様々なプログラミング言語およびツールを用いて実行することができる。レンズは基本的には、オブジェクトと、例えば、ＸＭＬ、Ｓｅａｒｃｈ  Ｑｕｅｒｙ  Ｌａｎｇｕａｇｅ、または任意の適切な形式でユーザに提示することができる情報とを含む。ウィンドウフレームなど、レンズ定義で使われるオブジェクトおよび情報の一部は静的であるが、その他は動的であり、表示のためにモバイル通信装置によってレンズが処理される際に実行されるＨＴＭＬリンクまたはアプレットなどの、レンズに埋め込まれまたはアタッチされたスクリプトまたはコンピュータ実行可能命令に応答してアクセスできる。レンズは、検索できる情報を提示するために構成されるので、レンズは、通常の意味において、情報を取得し、所望の事前定義された形式で提示する、特殊化された種類の検索エンジンと考えることができる。
【００４３】
図に示された次のステップは、ユーザにデータを提示する際に使用する、適切な１つまたは複数のレンズを選択することである（ステップ２３０）。このステップは、例えば、ユーザまたはユーザ指定の識別（動作２３２）、ユーザのプレゼンスの識別（動作２３４）、およびユーザ入力など他の入力への対処（動作２３６）など、様々な対応する動作を含むことができる。
【００４４】
ユーザ指定を識別して、ユーザがある特定の使用プロフィールに関連付けられているかどうか、またはそのユーザが明確にあるレンズを要求したかどうかを決定することは有益であり得る。ユーザを識別するために、ユーザを確認または認証するためのパスポートユーザ識別子（ＰＵＩＤ）、個人識別番号（ＰＩＮ）、または他の情報を提供するよう、ユーザを促すことができる。代替的に、ユーザのモバイル通信装置を用い、その電話の電話番号またはＭＳＩＳＤＮによって、その装置に関連付けられたユーザを識別することもできる。
【００４５】
したがって、ユーザの指定は、識別された指定とすることもでき、匿名の指定とすることもできる。識別された指定は、ユーザへのより適切なレンズおよび情報の提示を可能とするが、匿名の指定を使用しても、適切な１つまたは複数のレンズを選択して、ユーザに提示することができる。具体的には、先に収集した集約使用法データに基づいて、匿名ユーザ用にプロフィールを作成することができ、そのプロフィールが、匿名ユーザの要望および関心に適合するように設計されたレンズに対応している。これらのレンズはその後、新ユーザ用のデフォルトレンズとして使用することができ、新ユーザはデフォルトレンズのおかげでサービスユーザの間で最も人気の高い情報を見ることができる。
【００４６】
ユーザのプレゼンスも、１つまたは複数の適切なレンズを選択する際に考慮する関連要因とすることができる。具体的には、ユーザが自分のモバイル通信装置を使用している時刻、およびユーザの所在地は、ユーザがアクセスしたい情報の種類に関係し得る。例えば、ユーザは早朝と夜には天気予報にアクセスしたいと思い、日中には株式情報と電子メールにアクセスしたいと思うかもしれない。同様に、国立公園や遊園地にいる場合、ユーザは催し物の時間やアクセスのしやすさにいつも以上に関心があるかもしれない。また別の例として、車で幹線道路を走っている場合、ユーザは向かっている先の交通についての交通情報にアクセスしたいと思うかもしれない。どの程度細かくユーザの所在地およびプレゼンスを調べ決定できるかは、様々なニーズと好みに適合するように大幅に変更することができる。
【００４７】
同様に、レンズを選択する際に、ユーザの入力および他の即席の入力も考慮することができる。例えば、ユーザは、明示的に使用したいレンズを特定し、自分のモバイル通信装置に適用することができる。ユーザは、自分のモバイル通信装置上で、または従来のコンピュータを用いて、レンズを作成または修正することもできる。例えば、ユーザは、ＭＳＮ  Ｍｏｂｉｌｅなどが提供する、中央リポジトリまたはウェブサービス上のレンズに、任意のコンピューティング装置を用いてアクセスし、それを作成し、および／または修正することができる。このようにユーザがレンズを修正できることの１つの利点は、自分の要望およびライフスタイルに最も適したように、ユーザがレンズをカスタマイズすることができることである。例えば、あるビジネスパーソンがおり、定期的にロンドン、香港、ニューヨークに出張することが分かっている場合、彼／彼女は、出張先に対応した既存のレンズを、出張先で希望する情報の提示方式によりよく適合するように、細かく調整したいと思うかもしれない。
【００４８】
関連し得る他の入力は、レンズに関連する情報を表示するモバイル通信装置の能力である。したがって、異なるモバイル通信装置の様々な能力に合わせて、レンズには複数のバリエーションが存在する。
【００４９】
様々なプレゼンス情報および他の入力は、モバイル通信装置と情報発信元が相互対話を行うことで、自動的に収集することができるが、プレゼンス情報を収集する方式は、プライバシの問題、バックグラウンドの制約、および個人的な好みに適合するように変化させることができる。例えば、本発明の方法は、ＧＰＳ、Ｅ９１１、または他の位置決定システムに基づいた、ユーザのプレゼンスの自動検出を含む。代替的に、または追加的に、ユーザのプレゼンスは、ユーザが自分のモバイル通信装置を用いて入力しなければならない明示的なユーザ入力に基づくこともできる。
【００５０】
適切なレンズを選択すると（ステップ２３０）、そのレンズがユーザに提供される（動作２４０）。本発明の一実施形態によれば、これは、ユーザがレンズを要求せずとも、ユーザの装置に自動的にレンズが提供される、プッシュ方式（ｐｕｓｈ  ｐａｒａｄｉｇｍ）によって起きる。データは、例えば、ＳＭＳ、制御チャネル、ＧＰＲＳデータチャネル、ＭＳＰなどを介して提供される。しかし、ある状況では、明示的なユーザリクエストに応答してのみユーザ装置のリソースが使用される、プル方式（ｐｕｌｌ  ｓｙｓｔｅｍ）を利用する方が望ましい場合があることは理解されよう。
【００５１】
本発明のいくつかの実施形態では、レンズを提供する動作は、何らかの仲介サービス機関によって、上述したように、ユーザの身分およびプレゼンスに関して収集されたステータスデータに基づいて実行することができる。他の実施形態では、レンズは、ユーザが明示的にそれらを要求した場合にのみ提供される。さらに他の実施形態では、通常レンズを提供する情報発信元または仲介サービス機関を関与させる必要なく、友人などの第三者が、ユーザに直接レンズを送信することができる。
【００５２】
レンズを受信すると、ユーザはそのレンズを自分のモバイル通信装置に、他の１つまたは複数のレンズと一緒に一定の期間保存するかどうかを選択することができる。代替的には、ユーザは、使用中の一時だけレンズを保存するように望むことができ、使用後、そのレンズは、メモリを浪費しないようにメモリから消去される。
【００５３】
フローチャート２００に示す最後の動作は、適切なレンズを用いて、適切なデータを表示することである（動作２５０）。この動作は、モバイル通信装置で実行され、モバイル通信装置が、レンズに組み込まれたコンピュータ実行可能命令をロードし実行した際に起こる。この動作が、ビジュアルディスプレイスクリーン、スピーカなどを含む（ただし、それらに限定されない）様々なプレゼンテーション装置の使用を含み得ることは理解されよう。情報はモバイル通信装置に表示されるが、情報を表示するのに必要な実際の画面構成処理は、サーバなどのリモート装置でも発生し得ることも理解されたい。例えば、本発明の一実施形態では、モバイル通信装置のクライアントソフトウェアは、モバイル通信装置にページを提供するサーバによって少なくとも一部が表示用に処理されたｘＨＴＭＬページを表示するブラウザとして動作する。
【００５４】
動作２５０は、単一のレンズの表示を含むことができるが、いくつかの実施形態では、動作２５０は、以下でさらに詳細に説明するように、複数のレンズの表示を含み、その表示は同時に行うこともできる。
【００５５】
ユーザのプレゼンスは動的に更新することができ、適切なレンズはユーザに継続的に送り続けられることが可能なので、ユーザが明示的にレンズを要求した場合にユーザが必ずしもそのレンズを待たなくてもよいように、レンズを受信するのに要する時間を、ユーザから隠蔽することができる。したがって、ユーザがレンズまたは表示する情報を要求した場合、それを非常に素早く表示することができ、上述したプッシュ方式において行うことができるように、その多くまたはすべてがすでにモバイル通信装置にキャッシュされている場合は特にそうである。
【００５６】
次に図３Ａ〜図３Ｅを参照すると、本発明の方法に従って情報を表示するモバイル通信装置の、様々な実施形態が示されている。以下に提供する特定の実施形態および例は、表示情報の形式、表示オブジェクトおよびアイコンの種類およびスタイル、および情報の細かさに関しては特に、単なる例示として解釈されるべきであり、したがって、本発明の範囲を限定するものと解釈すべきではないことは理解されよう。
【００５７】
図３Ａに示すように、モバイル通信装置３００は、パーソナルホームレンズ３２０に対応した情報を表示するのに使用される、ディスプレイ３１０を有する。パーソナルホームレンズ３２０は、上述したように、ユーザのプロフィールに応じて、ユーザが直接またはサードパーティが作成および修正することができることは理解されよう。同様に、レンズ３２０は、上述したように、特定のプレゼンス情報の検出または他の要因に応答して、自動的に提示および表示することができる。
【００５８】
図示の実施形態では、パーソナルレンズ３２０は、ユーザのプレゼンスに基づくユーザの状況に適した基本情報で効率的な表示を含む。図示のように、レンズ３２０は、ユーザに表示されているレンズ３２０の種類を視覚的に識別できる、識別可能アイコン３１２を含む。レンズ３２０はまた、以下で説明するような、様々な他の情報も含む。例えば、レンズ３２０は、ユーザ指定または名前（ＭｙＮａｍｅ）をユーザのステータス（例えば、オンラインまたはオフライン）と共に含む。ユーザの所在地Ｒｅｄｍｏｎｄも、その市の適切な関連する天気予報と共に反映される。日付および時刻も、様々なニュース、スポーツ、電子メールリンクと共に反映される。この実施形態によれば、ユーザは、特定の主題に対応するより詳細な表示および情報を、対応するリンクのいずれかを選択することによって得ることができる。例えば、Ｎｅｗｓリンクを選択することで、ニュース見出しのより完全で網羅的な一覧がユーザに提示される。
【００５９】
ユーザが、Ｎｅｗａｒｋなど新しい土地に旅行した場合、上述したように、プレゼンスの変化が検出され、それを用いて、１つまたは複数の新しく適切なレンズが取得される。例えば、週の後半、例えば、日曜日に、ユーザがＮｅｗａｒｋに旅行しようと決めた場合、ユーザのホームレンズを、Ｎｅｗａｒｋに適した新しいレンズに置き換えまたは修正することができる。
【００６０】
具体的には、図３Ｂを参照すると、ユーザのホームレンズ３２０は、Ｒｅｄｍｏｎｄを出立した時に、データを更新する。図３Ａに示されていた情報のいくつかは、その情報の現在の状態を反映して更新されていることにも留意されたい。例えば、日付、天気、時刻が更新されている。
【００６１】
この実施形態によれば、Ｎｅｗａｒｋの空港に到着して、モバイル通信装置の電源を入れ直した時（フライト中は電源が切られていたと仮定する）、Ｎｅｗａｒｋでの新しいプレゼンスが検出され、それを使用して、ユーザに提示するための新しい関連するトラベルレンズを識別し取得する。図３Ｂには、既存のホームレンズ３２０を置き換えた、新しいトラベルレンズ３３０が示されている。
【００６２】
トラベルレンズ３３０は、Ｎｅｗａｒｋでの現状に適した情報を表示することができ、したがって、ホームレンズ３２０上で提供された情報が置き換えられていることは理解されよう。適切または望ましいとすでに分かっている情報をユーザが調べる必要がなくなるので、これは便利である。トラベルレンズ３３０は、単独で表示することができるが、図３Ｃの実施形態には、２つのレンズをどのように混合することができるかが示されている。具体的には、トラベルレンズ３３０が、混合形式によりホームレンズ３２０と共に同時に表示されている様子が示されている。ユーザは、スクリーン上に表示されているアイコンによって、使用中のレンズが何であるかを簡単に確認することができる。具体的には、ホームレンズアイコン３１２およびトラベルレンズアイコン３３２によって、どのレンズが混合されているかがユーザに示される。色のパターンおよび他の制御可能な特徴を変更して、ユーザの使い勝手を高め、様々なレンズの質および際立った特色を改善することができることは理解されよう。
【００６３】
提示される情報およびレンズの形式を変更して、組み合わすレンズの任意の組合せを反映させることができ、その際、例えば、混合ホーム／トラベルレンズ３４０に示すように、レンズフレームの修正を含む場合があることも理解されよう。具体的には、この実施形態では、市所在地と天気情報とが切り詰められ、単一の横長の欄にまとめられ、さらにホームレンズ３２０の日付／時刻欄が、トラベルレンズ３３０の交通情報に置き換えられている。
【００６４】
いくつかの実施形態では、レンズを表示および混合する方式を自動的に決定することができる。他の実施形態では、メニューまたは他のツールを用いて、ユーザは、レンズおよびその表示の仕方をカスタマイズすることができる。例えば、図３Ｄを参照すると、「ｍｏｒｅ」メニュー３５０が拡張されて、表示可能な複数のレンズを提示している。この実施形態では、わずか３種類のレンズオプション、すなわち、ホームまたはパーソナルレンズ（例えば、レンズ３２０）、トラベルまたは現在地レンズ（例えば、レンズ３３０）、およびスポーツ得点レンズしか利用できないが、他の実施形態では、さらに多くのレンズを取得し利用することができる。
【００６５】
ある数のレンズを表示したい場合、ユーザは、表示したいレンズを選択することができる。今の例では、ユーザは、３種類のレンズをすべて選択することができる。したがって、それらのレンズは、表示された時、図３Ｅに示すように、単一の混合レンズ３６０に適切に混合される。レンズを視覚的に見やすい形式に混合する方式をよりよいものにするため、異なる陰影または色を使用して、異なるレンズと関係付けまたは対応付ける。例えば、ホームレンズに対応する情報にはブルーの背景色をもたせ、トラベルレンズに対応する情報にはベージュの背景色をもたせ、スポーツレンズに対応する情報にはグリーンの背景色をもたせることができる。
【００６６】
しかし、図３Ａ〜図３Ｅに示した上述のレンズは、説明的なものに過ぎず、本発明の範囲を限定するものと解釈すべきではないことは理解されよう。むしろ、本発明は、ユーザのプレゼンス、身分、および他のステータス情報に基づいてユーザの現状に適した情報を表示するための、任意の種類のテンプレートまたはフォーマットに適用されるものとして、より広く解釈されるべきものである。他の実施形態では、レンズの視覚的表現は、レンズのパターン、画像、およびテクスチャを変えることによって、変更することができる。
【００６７】
これまで説明してきたように、本発明によって、モバイル通信装置に情報を表示することに伴う、当技術分野で周知の多くの問題が克服されることは理解されよう。具体的には、本発明を用いることで、ユーザは、所定の使用プロフィールに基づいて、ユーザフレンドリな方式で、適切な情報を素早くかつ容易に取得することができ、不要なデータをふるい分けるために装置の資源を浪費しないですむ。
【００６８】
(コンピューティング環境)
本発明を、パーソナルコンピュータ、ハンドヘルド装置、マルチプロセッサシステム、マイクロプロセッサベースまたはプログラム可能な家電製品、ネットワークＰＣ、ミニコンピュータ、メインフレームコンピュータなどを含む、様々な構成のコンピューティングシステムおよびネットワークコンピューティング環境で実施できることは、当業者であれば理解されよう。本発明は、通信ネットワークを介して（有線リンク、無線リンク、または有線と無線を組み合わせたリンクによって）接続されたローカル処理装置とリモート処理装置がタスクを実行する、分散コンピューティング環境で実施することもできる。分散コンピューティング環境では、プログラムモジュールは、ローカルメモリ記憶装置とリモートメモリ記憶装置に配置することができる。
【００６９】
図４を参照すると、集約ユーザ嗜好データを構築し、本発明のその他の動作およびステップの多くを実行するのに使用できる、例示的なシステムが提供されている。図示のシステムは、プロセッシングユニット４２１、システムメモリ４２２、およびシステムメモリ４２２を始めとする様々なシステムコンポーネントをプロセッシングユニット４２１に結合するシステムバス４２３を備える、従来型のコンピュータ４２０の形態をとる汎用コンピューティング装置を含む。システムバス４２３は、様々なバスアーキテクチャのいずれかを使用する、メモリバスまたはメモリコントローラ、周辺機器バス、およびローカルバスを含む複数の種類のバス構造のいずれとすることもできる。システムメモリには、読み取り専用メモリ（ＲＯＭ）４２４およびランダムアクセスメモリ（ＲＡＭ）４２５が含まれる。基本入出力システム（ＢＩＯＳ）４２６は、起動時などにコンピュータ４２０の構成要素間の情報伝送を助ける基本ルーチンを含み、ＲＯＭ４２４に格納することができる。
【００７０】
コンピュータ４２０はまた、磁気ハードディスク４３９に対して読み書きを行うための磁気ハードディスクドライブ４２７、着脱可能磁気ディスク４２９に対して読み書きを行うための磁気ディスクドライブ４２８、ＣＤ−ＲＯＭ、ＤＶＤ−ＲＯＭ、または他の光媒体などの着脱可能光ディスク４３１に対して読み書きを行うための光ディスクドライブ４３０も含む。磁気ハードディスクドライブ４２７、磁気ディスクドライブ４２８、および光ディスクドライブ４３０は、それぞれハードディスクドライブインターフェース４３２、磁気ディスクドライブインターフェース４３３、および光ドライブインターフェース４３４によって、システムバス４２３に接続される。ドライブおよびそれに関連するコンピュータ可読媒体は、コンピュータ実行可能命令、データ構造、プログラムモジュール、およびコンピュータ４２０用のその他のデータの不揮発性記憶を提供する。本明細書で説明する例示的な環境では、磁気ハードディスク４３９、着脱可能磁気ディスク４２９、および着脱可能光ディスク４３１を使用するが、磁気カセット、フラッシュメモリカード、デジタル多用途ディスク、ベルヌーイカートリッジ、ＲＡＭ、ＲＯＭなどを始めとする、データを保存するための他の種類のコンピュータ可読媒体を使用することもできる。
【００７１】
１つまたは複数のプログラムモジュールからなるプログラムコード手段は、ハードディスク４３９、磁気ディスク４２９、光ディスク４３１、ＲＯＭ４２４、またはＲＡＭ４２５に格納することができ、プログラムコード手段には、オペレーティングシステム４３５、１つまたは複数のアプリケーションプログラム４３６、他のプログラムモジュール４３７、およびプログラムデータ４３８が含まれる。ユーザは、キーボード４４０、ポインティングデバイス４４２、またはマイクロホン、ジョイスティック、ゲームパッド、衛星放送用パラボラアンテナ、スキャナなどの他の入力デバイス（図示せず）を用いて、コマンドおよび情報をコンピュータ４２０に入力することができる。これらおよび他の入力デバイスはしばしば、システムバス４２３に結合されたシリアルポートインターフェース４４６を介して、プロセッシングユニット４２１に接続される。代替的には、入力デバイスは、パラレルポート、ゲームポート、またはユニバーサルシリアルバス（ＵＳＢ）などの他のインターフェースによって接続することもできる。モニタ４４７または他の表示装置も、ビデオアダプタ４４８などのインターフェースを介して、システムバス４２３に接続される。モニタに加え、パーソナルコンピュータは一般に、スピーカ、プリンタなどの他の周辺出力装置（図示せず）を含む。
【００７２】
コンピュータ４２０は、リモートコンピュータ４４９ａ、４４９ｂなどの１つまたは複数のリモートコンピュータへの論理コネクションを用いて、ネットワーク環境で動作することができる。リモートコンピュータ４４９ａ、４４９ｂはそれぞれ、別のパーソナルコンピュータ、サーバ、ルータ、ネットワークＰＣ、ピア装置、または他の共通ネットワークノードとすることができ、一般にコンピュータシステム１１０に関して上述した、多くのまたはすべての要素を含むことができるが、図４にはメモリ記憶装置４５０ａ、４５０ｂおよびそれに関連するアプリケーションプログラム４３６ａ、４３６ｂだけが示されている。図４に示す論理コネクションには、ローカルエリアネットワーク（ＬＡＮ）４５１およびワイドエリアネットワーク（ＷＡＮ）４５２が含まれるが、これらは例としてここに示したに過ぎず、限定を意図したものではない。このようなネットワーク環境は、オフィス規模または企業規模のコンピュータネットワーク、イントラネット、およびインターネットで一般的である。
【００７３】
コンピュータ４２０は、ＬＡＮネットワーク環境で使用される場合、ネットワークインターフェースまたはアダプタ４５３を介してローカルネットワーク４５１に接続される。コンピュータ４２０は、ＷＡＮネットワーク環境で使用される場合、インターネットなどのワイドエリアネットワーク４５２を介して通信を確立するための、モデム４５４、無線リンク、または他の手段を含む。モデム４５４は、内蔵でも外付けでもよく、シリアルポートインターフェース４４６を介してシステムバス４２３に接続することができる。ネットワーク環境では、コンピュータ４２０に関して示したプログラムモジュールまたはその部分は、リモートメモリ記憶装置に保存することができる。図示のネットワークコネクションは例示的なものであり、ワイドエリアネットワーク４５２を介して通信を確立する他の手段も使用できることは理解されよう。
【００７４】
本発明は、その主旨または本質的特徴から逸脱することなく、他の具体的形態で実施することができる。説明した実施形態は、すべての点において、説明のためのものに過ぎず、何ら限定を課すものではないと見なされたい。したがって、本発明の範囲は、上述した説明によってではなく、添付の特許請求の範囲によって示される。特許請求の範囲と同等の意味および範囲に入るすべての変更は、特許請求の範囲に包含されるものとする。
【図面の簡単な説明】
【００７５】
【図１】モバイル通信装置が、モバイル通信装置のプレゼンス、ステータスなどの状況に関連するデータに基づいて、情報発信元から情報を受信することができる、ネットワークの一実施形態を示した図である。
【図２】モバイル通信装置に情報を提示するための本発明のいくつかの方法の実施中に実行することができる、様々なステップおよび動作を示したフローチャートである。
【図３Ａ】異なる形式で異なる情報を表示するモバイル通信装置の様々な実施形態を示した図である。
【図３Ｂ】異なる形式で異なる情報を表示するモバイル通信装置の様々な実施形態を示した図である。
【図３Ｃ】異なる形式で異なる情報を表示するモバイル通信装置の様々な実施形態を示した図である。
【図３Ｄ】異なる形式で異なる情報を表示するモバイル通信装置の様々な実施形態を示した図である。
【図３Ｅ】異なる形式で異なる情報を表示するモバイル通信装置の様々な実施形態を示した図である。
【図４】本発明のいくつかの態様を実施するのに使用できるコンピューティングシステムの一実施形態を示した図である。
【符号の説明】
【００７６】
１００  ネットワーク
１１０  モバイル通信装置
１２０  通信ノード
１２２  通信ノード
１２４  通信ノード
１３０  情報発信元
１４０  リポジトリ
１４２  集約データ
１４４  レンズリポジトリ
１５０  ディスプレイスクリーン
３００  モバイル通信装置
３１０  ディスプレイ
３１２  ホームレンズアイコン
３２０  パーソナルホームレンズ
３３０  トラベルレンズ
３３２  トラベルレンズアイコン
３４０  混合ホーム／トラベルレンズ
３５０  「ｍｏｒｅ」メニュー
３６０  単一混合レンズ
４２１  プロセッシングユニット
４２２  システムメモリ
４２３  システムバス
４２４  ＲＯＭ（読み取り専用メモリ）
４２５  ＲＡＭ（ランダムアクセスメモリ）
４２６  ＢＩＯＳ（基本入出力システム）
４２７  磁気ハードディスクドライブ
４２８  磁気ディスクドライブ
４２９  着脱可能磁気ディスク
４３０  光ディスクドライブ
４３１  着脱可能光ディスク
４３２  ハードディスクドライブインターフェース
４３３  磁気ディスクドライブインターフェース
４３４  光ドライブインターフェース
４３５  オペレーティングシステム
４３６  アプリケーションプログラム
４３７  他のプログラムモジュール
４３８  プログラムデータ
４３９  磁気ハードディスク
４４０  キーボード
４４２  ポインティングデバイス
４４６  シリアルポートインターフェース
４４７  モニタ
４４８  ビデオアダプタ
４４９  リモートコンピュータ
４５１  ＬＡＮ（ローカルエリアネットワーク）
４５２  ＷＡＮ（ワイドエリアネットワーク）
４５３  ネットワークインターフェースまたはアダプタ
４５４  モデム
【図１】
2005006309.tif 000003
【図２】
2005006309.tif 000004
【図３Ａ】
2005006309.tif 000005
【図３Ｂ】
2005006309.tif 000006
【図３Ｃ】
2005006309.tif 000007
【図３Ｄ】
2005006309.tif 000008
【図３Ｅ】
2005006309.tif 000009
【図４】
2005006309.tif 000010